(57)【特許請求の範囲】
【請求項１】
下地面に隣接して敷設される複数枚の防水シートの端部同士の突き合わせ又は重ね合
わせ部分上にラップテープを貼着し、
前記ラップテープは、基材と、この基材の片面に設けられる遮断層と、この遮断層の
片面に設けられるブチル系又は改質アスファルト系の粘着層とを備え、前記遮断層は、前
記粘着層から滲みでるオイルを吸収しない素材で形成された不織布で形成されたものであ
り、
前記ラップテープの貼着後、前記複数枚の防水シート及び前記ラップテープに塗膜防
水材を塗布する
ことを特徴とする塗膜防水工法。
【請求項２】
下地面に防水シートを敷設し、敷設後、下地面に防水シートの端末を端末テープで前
記下地面に貼着し、
前記端末テープは、基材と、この基材の片面に設けられる遮断層と、この遮断層の片
面に設けられるブチル系又は改質アスファルト系の粘着層とを備え、前記遮断層は、前記
粘着層から滲みでるオイルを吸収しない素材で形成された不織布で形成されたものであり
、 
前記端末テープの貼着後、前記複数枚の防水シート及び前記端末テープに塗膜防水材
を塗布する
ことを特徴とする塗膜防水工法。
【発明の詳細な説明】
【技術分野】
【０００１】
本発明は、塗膜防水工法に係り、特に、変色防止を図った塗膜防水工法に関する。
【背景技術】
【０００２】
従来、下地面に隣接して敷設される複数枚の防水シートの端部同士の突き合わせ又は重ね合わせ部分上にラップテープｔが貼着される。
このラップテープｔは、図２に示すように、基材１０と、この基材１０の片面に設けられる改質アスファルト系の粘着層２０とを備えている。３０は、粘着層２０を基材１０に接着するポリエチレンラミネートである。
【発明の概要】
【発明が解決しようとする課題】
【０００３】
しかしながら、上述のラップテープを使用した防水工法にあっては、ラップテープの部位が変色する。
この変色は、改質アスファルト系の粘着層２０からオイルが滲みでることに起因するものであることを、本件発明者は知見した。
【０００４】
本発明は、上記の知見に基づきなされた塗膜防水工法を提供することを目的とする。
【課題を解決するための手段】
【０００７】
請求項１の塗膜防水工法は、下地面に隣接して敷設される複数枚の防水シートの端部同士の突き合わせ又は重ね合わせ部分上にラップテープを貼着し、前記ラップテープは、基材と、この基材の片面に設けられる遮断層と、この遮断層の片面に設けられるブチル系又は改質アスファルト系の粘着層とを備え、前記遮断層は、前記粘着層から滲みでるオイルを吸収しない素材で形成された不織布で形成されたものであり、前記ラップテープの貼着後、前記複数枚の防水シート及び前記ラップテープに塗膜防水材を塗布するものである。
【０００８】
また、請求項２記載の塗膜防水工法は、下地面に防水シートを敷設し、敷設後、下地面に防水シートの端末を端末テープで前記下地面に貼着し、前記端末テープは、基材と、この基材の片面に設けられる遮断層と、この遮断層の片面に設けられるブチル系又は改質アスファルト系の粘着層とを備え、前記遮断層は、前記粘着層から滲みでるオイルを吸収しない素材で形成された不織布で形成されたものであり、前記端末テープの貼着後、前記複数枚の防水シート及び前記端末テープに塗膜防水材を塗布するものである。
【発明の効果】
【００１１】
請求項１記載の塗膜防水工法によれば、ラップテープの貼着後、複数枚の防水シート及びラップテープに塗膜防水材を塗布しても、ブチル系又は改質アスファルト系の粘着層から滲みでるオイルを遮断層で遮断して、前記オイルが基材へ移動するのを防ぐため、塗膜防水材が変色するのを防ぐことができる。
【００１２】
また、請求項２記載の塗膜防水工法によれば、端末テープの貼着後、複数枚の防水シート及び端末テープに塗膜防水材を塗布しても、ブチル系又は改質アスファルト系の粘着層から滲みでるオイルを遮断層で吸収して、前記オイルが基材へ移動するのを防ぐため、塗膜防水材が変色するのを防ぐことができる。
【図面の簡単な説明】
【００１３】
【図１】図１は、本発明の一実施例の塗膜防水工法に使用するラップテープ又は端末テープの概略的断面図である。
【図２】図２は、従来のラップテープ又は端末テープの概略的断面図である。
【発明を実施するための形態】
【００１４】
本発明の一実施例の塗膜防水工法を参照して説明する。
図１に示すＴは、下地面（図示せず）に隣接して敷設される複数枚の防水シート（図示せず）の端部同士の突き合わせ又は重ね合わせ部分上に貼着されるラップテープ（ジョイントテープ）である。
このラップテープＴは、基材１と、この基材１の片面に設けられる遮断層２と、この遮断層２の片面に設けられる粘着層３とを備えている。
４は、遮断層２を基材１に接着する第１の接着層（例えば、ポリエチレンラミネート）で、５は、粘着層３を遮断層２に接着する第２の接着層（例えば、ポリエチレンラミネート）である。
【００１５】
基材１の素材としては、後述する塗膜防水材と一体化するものであれば、特に限定されるものではなく、例えば、ポリビニルアルコール（ビニロン）、ポリエチレンテレフタレート、ポリブチレンテレフタレート等のポリエステル、ポリプロピレン等のポリオレフィン、ガラス、カーボン等が挙げられ、これらを単独で又は２種以上を混合して用いることができる。
また、基材１の構成としては、素材１により形成される不織布、クロス（織布、編布）等の単独又はこれらの複合体が挙げられる。これらの中でも、塗膜防水材と良好に一体化して、経済性にも優れる、ポリビニルアルコール（ビニロン）、ポリエチレンテレフタレートにより形成される不織布が、好ましく用いられる。
【００１６】
また、遮断層２は、後述するブチル系又は改質アスファルト系の粘着層３から滲みでるオイル等を吸収しない素材からなるもので、例えば、２０ｇ／ｍ２〜６０ｇ／ｍ２ の不織布である。不織布は、例えば、ポリエステル、ポリプロピレン、ナイロンの繊維の内、少なくとも、１種からなる素材で形成されるものである。
遮断層２を構成するものとして、不織布以外には、例えば、ガラス等である。
なお、遮断層２が不織布で形成されていると、柔軟で下地面に追従して、ラップテープＴによる接合が密着し、防水効果を高めることができる。
【００１７】
また、粘着層３は、ブチル系の粘着剤又は改質アスファルト系の粘着剤で形成されている。
なお、ブチル系の粘着剤は、ブチルゴムを主成分とする粘着剤である。
また、改質アスファルト系の粘着剤は、例えば、ストレートアスファルトに５〜１５重量％のＳＢＳ等の熱可塑性エラストマー（ＴＰＥ）、１０〜２０重量％のプロセスオイル等を添加したものである。
【００１８】
従って、上述のラップテープＴによれば、粘着層３から滲みでるオイルを遮断層２で遮断して、前記オイルが基材１へ移動するのを防ぐため、防水シートの端部同士の突き合わせ又は重ね合わせ部分上に貼着されるラップテープＴが変色するのを防ぐことができる。
その結果、下地面に隣接して敷設される複数枚の防水シートの端部同士の突き合わせ又は重ね合わせ部分上にラップテープＴを貼着し、ラップテープＴの貼着後、前記複数枚の防水シート及びラップテープＴに塗膜防水材を塗布する塗膜防水工法において、ブチル系又は改質アスファルト系の粘着層３から滲みでるオイルを遮断層２で遮断して、前記オイルが基材１へ移動するのを防ぐため、塗膜防水材が変色するのを防ぐことができる。
なお、塗膜防水材は、例えば、ウレタン、アクリルエマルジョン、ＦＲＰ、ゴムアスエマルジョン、ポリマーセメント等である。
【００１９】
また、上述した実施例は、ラップテープＴであるが、本願発明はこれに限らず、例えば、下地面に防水シートの端末を止めるための端末テープＴ’にも同様に適用することができる。ラップテープＴと端末テープＴ’は、用途が若干異なるが、その構成はラップテープＴと同様であるので、図１に（）を付して、以下説明する。
この端末テープＴ’は、基材１’と、この基材１’の片面に設けられる遮断層２’と、この遮断層２’の片面に設けられる粘着層３’とを備えている。
４’は、遮断層２’を基材１’に接着する第１の接着層（例えば、ポリエチレンラミネート）で、５’は、粘着層３’を遮断層２’に接着する第２の接着層（例えば、ポリエチレンラミネート）である。
【００２０】
基材１’の素材としては、前述と同様、塗膜防水材と一体化するものであれば、特に限定されるものではなく、例えば、ポリビニルアルコール（ビニロン）、ポリエチレンテレフタレート、ポリブチレンテレフタレート等のポリエステル、ポリプロピレン等のポリオレフィン、ガラス、カーボン等が挙げられ、これらを単独で又は２種以上を混合して用いることができる。
また、基材１’の構成としては、素材１’により形成される不織布、クロス（織布、編布）等の単独又はこれらの複合体が挙げられる。これらの中でも、塗膜防水材と良好に一体化して、経済性にも優れる、ポリビニルアルコール（ビニロン）、ポリエチレンテレフタレートにより形成される不織布が、好ましく用いられる。
【００２１】
また、遮断層２’は、後述するブチル系又は改質アスファルト系の粘着層３’から滲みでるオイル等を吸収しない素材からなるもので、例えば、約１５ｇ／ｍ２〜約３０ｇ／ｍ２の不織布である。
不織布は、例えば、ポリエステル、ポリプロピレン、ナイロンの繊維の内、少なくとも、１種からなる素材で形成されるものである。
遮断層２’を構成するものとして、不織布以外には、例えば、ガラス等である。
なお、遮断層２’が不織布で形成されていると、柔軟で下地面に追従して、端末テープＴ’による接合が密着し、防水効果を高めることができる。
【００２２】
また、粘着層３’は、ブチル系の粘着剤又は改質アスファルト系の粘着剤で形成されている。
なお、ブチル系の粘着剤は、ブチルゴムを主成分とする粘着剤である。
また、改質アスファルト系の粘着剤は、例えば、ストレートアスファルトに５〜１５重量％のＳＢＳ等の熱可塑性エラストマー（ＴＰＥ）、１０〜２０重量％のプロセスオイル等を添加したものである。
【００２３】
従って、上述の端末テープＴ’によれば、粘着層３’から滲みでるオイルを遮断層２で遮断して、前記オイルが基材１’へ移動するのを防ぐため、防水シートの端部同士の突き合わせ又は重ね合わせ部分上に貼着される端末テープＴ’が変色するのを防ぐことができる。
その結果、下地面に防水シートを敷設し、敷設後、下地面に防水シートの端末を端末テープＴ’で前記下地面に貼着し、端末テープＴ’の貼着後、前記複数枚の防水シート及び端末テープＴ’に塗膜防水材を塗布する塗膜防水工法において、ブチル系又は改質アスファルト系の粘着層３から滲みでるオイルを遮断層２’で遮断して、前記オイルが基材１’へ移動するのを防ぐため、塗膜防水材が変色するのを防ぐことができる。
なお、塗膜防水材は、前述同様、例えば、ウレタン、アクリルエマルジョン、ＦＲＰ、ゴムアスエマルジョン、ポリマーセメント等である。
【符号の説明】
【００２４】
Ｔ      ラップテープ
１      基材
２      遮断層
３      粘着層
【図１】
0005476623.tif 000002
【図２】
0005476623.tif 000003